(57)【要約】【課題】炊飯器本体の上面を覆い開閉自在に取り付けた蓋体を閉状態に保持しかつ開放するフックレバーを有する炊飯器において、フックレバーを圧入する必要をなくして装着性を向上するとともに、炊飯器本体の天面をフラットにして、ご飯のよそいやすさや炊飯器本体の天面の手入れ性を向上する。【解決手段】蓋体４により炊飯器本体１の上面を開閉自在に覆い、炊飯器本体１の前部に蓋体４を閉状態に保持しかつ開放するフックレバー６を設ける。炊飯器本体１はフックレバー６を装着するフックレバー装着部９を有し、フックレバー装着部９にフックレバー６の両端に設けた回転軸８を支持する凹形状の軸受け部１０と、蓋体４を閉状態に保持するようフックレバー６を付勢するばね部材１１を保持する第１のばね受け部１３とを設け、フックレバー６をフックレバー装着部９に装着し、抜け防止部材１６により抜け止めするよう構成する。【選択図】  図１
2004283323.tif 000002
【特許請求の範囲】
【請求項１】
炊飯器本体と、前記炊飯器本体内に着脱自在に収納される鍋と、前記炊飯器本体の上面を覆い開閉自在に取り付けた蓋体と、前記炊飯器本体の前部に設け前記蓋体を閉状態に保持しかつ開放するフックレバーとを備え、前記炊飯器本体は、前記フックレバーを装着するフックレバー装着部を有し、前記フックレバー装着部に前記フックレバーの両端に設けた回転軸を支持する凹形状の軸受け部と、前記蓋体を閉状態に保持するようフックレバーを付勢するばね部材を保持する第１のばね受け部とを設け、前記フックレバーを前記フックレバー装着部に装着し、抜け防止部材により抜け止めするよう構成した炊飯器。
【請求項２】
フックレバーは、両端に設けた回転軸の一方の長さを他方よりも短くし、かつフックレバーの幅は、フックレバー装着部の幅に対して少なくとも短い側の回転軸の長さだけ狭い寸法に構成した請求項１記載の炊飯器。
【請求項３】
フックレバーは、裏面にフックレバー装着部に設けた第１のばね受け部に対して左右方向にずらして配置した第２のばね受け部を有し、前記第１のばね受け部と第２のばね受け部の間に前記フックレバーに回転方向の付勢力を与えるばね部材を装着し、このばね部材により、前記フックレバーにスラスト方向に付勢力が生じるよう構成した請求項１記載の炊飯器。
【請求項４】
炊飯器本体に、操作パネルにより覆われた表示操作部を設け、抜け防止部材は前記操作パネルと一体に構成した請求項１記載の炊飯器。
【発明の詳細な説明】
【０００１】
【発明の属する技術分野】
本発明は、炊飯器本体の上面を覆い開閉自在に取り付けた蓋体を閉状態に保持しかつ開放するフックレバーを有する炊飯器に関するものである。
【０００２】
【従来の技術】
従来、この種の炊飯器は、炊飯器本体の鍋前方の天面が大きく盛り上がった凸形状の部分を有しており、凸形状の上方付近にフックレバーを保持する凹状のフックレバー保持部を設けている。フックレバー保持部の両側には、フックレバーの軸受が嵌合する軸受け穴が構成されており、通常、フックレバーの回転軸の両端寸法に比較して、炊飯器本体に設けた軸受穴の入口寸法の方が小さく構成されており、フックレバーを圧入しながら装着する構成になっている。また、軸受け穴の後方にはフックレバーの装着性を改善させるねらいで、誘い面を設けているものもある（例えば、特許文献１参照）。
【０００３】
【特許文献１】
特開２００１−１２８８５４号公報
【０００４】
【発明が解決しようとする課題】
しかしながら、前述のような構成の炊飯器では、フックレバーを炊飯器本体に装着するときには、フックレバーの回転軸を炊飯器本体の軸受部に圧入する必要があり、作業性が悪かった。また、フックレバーは、通常使用時には蓋開方向である上方に付勢されているため、回転軸と軸受け穴の掛代を確保しつつ圧入時の装着性を改善するためには、軸受け穴の誘い面を水平方向に設け、フックレバーを水平後方から装着する必要がある。
【０００５】
したがって、炊飯器本体の鍋前方に大きく盛り上げた凸部を構成し、その凸部にフックレバー軸受部を設けることにより、フックレバーを水平後方から装着できる構成となっている。このような構成では、鍋手前に大きな凸部があるため、ご飯をよそうときに邪魔になる上、炊飯器本体の天面の手入れ性もよくないという問題があった。
【０００６】
また、誘い面を大きく取りすぎると、回転軸と軸受け穴の掛代が小さくなり、例えば輸送時の衝撃や、ユーザーの手入れ時に外れる可能性が生じる等の問題がある。
【０００７】
本発明は上記従来の課題を解決するもので、フックレバーを圧入する必要をなくして装着性を向上するとともに、炊飯器本体の天面をフラットにして、ご飯のよそいやすさや炊飯器本体の天面の手入れ性を向上することを目的としている。
【０００８】
【課題を解決するための手段】
本発明は上記目的を達成するために、炊飯器本体内に鍋を着脱自在に収納し、開閉自在に取り付けた蓋体により炊飯器本体の上面を覆い、炊飯器本体の前部に蓋体を閉状態に保持しかつ開放するフックレバーを設け、炊飯器本体は、フックレバーを装着するフックレバー装着部を有し、フックレバー装着部にフックレバーの両端に設けた回転軸を支持する凹形状の軸受け部と、蓋体を閉状態に保持するようフックレバーを付勢するばね部材を保持する第１のばね受け部とを設け、フックレバーをフックレバー装着部に装着し、抜け防止部材により抜け止めするよう構成したものである。
【０００９】
これにより、フックレバーを圧入する必要をなくすることができて装着性を向上できるとともに、炊飯器本体の天面をフラットにできて、ご飯のよそいやすさや炊飯器本体の天面の手入れ性を向上することができる。
【００１０】
【発明の実施の形態】
本発明の請求項１に記載の発明は、炊飯器本体と、前記炊飯器本体内に着脱自在に収納される鍋と、前記炊飯器本体の上面を覆い開閉自在に取り付けた蓋体と、前記炊飯器本体の前部に設け前記蓋体を閉状態に保持しかつ開放するフックレバーとを備え、前記炊飯器本体は、前記フックレバーを装着するフックレバー装着部を有し、前記フックレバー装着部に前記フックレバーの両端に設けた回転軸を支持する凹形状の軸受け部と、前記蓋体を閉状態に保持するようフックレバーを付勢するばね部材を保持する第１のばね受け部とを設け、前記フックレバーを前記フックレバー装着部に装着し、抜け防止部材により抜け止めするよう構成したものであり、フックレバーを圧入する必要をなくすることができて装着性を向上できるとともに、炊飯器本体の天面をフラットにできて、ご飯のよそいやすさや炊飯器本体の天面の手入れ性を向上することができ、さらに、運搬時やユーザーの手入れ時にフックレバーが抜けるのを防止することができ、安全性を高めることができる。
【００１１】
請求項２に記載の発明は、上記請求項１に記載の発明において、フックレバーは、両端に設けた回転軸の一方の長さを他方よりも短くし、かつフックレバーの幅は、フックレバー装着部の幅に対して少なくとも短い側の回転軸の長さだけ狭い寸法に構成したものであり、回転軸を片側づつ装着できるため、軸受け部に対して十分な掛代を確保した上で、フックレバー装着時に圧入をする必要なくなり、作業負荷を軽減させることができる。
【００１２】
請求項３に記載の発明は、上記請求項１に記載の発明において、フックレバーは、裏面にフックレバー装着部に設けた第１のばね受け部に対して左右方向にずらして配置した第２のばね受け部を有し、前記第１のばね受け部と第２のばね受け部の間に前記フックレバーに回転方向の付勢力を与えるばね部材を装着し、このばね部材により、前記フックレバーにスラスト方向に付勢力が生じるよう構成したものであり、フックレバーが装着された状態ではばね部材の付勢力により、蓋閉時に蓋閉状態を維持するための回動力と同時に、フックレバーを常に長軸側から短軸側へ押し付けるスラスト力が働くことにより、常に抜け方向とは逆の方向に押し付けられているため、組立工程中にフックレバーが外れることがなく、作業性を向上することができる。
【００１３】
請求項４に記載の発明は、上記請求項１に記載の発明において、炊飯器本体に、操作パネルにより覆われた表示操作部を設け、抜け防止部材は前記操作パネルと一体に構成したものであり、部品点数を低減することができて安価にできる。
【００１４】
【実施例】
以下、本発明の実施例について、図面を参照しながら説明する。
【００１５】
（実施例１）
図１に示すように、炊飯器本体１は、内部にフランジ付きの鍋２を着脱自在に収納し、上部に一端を開放自在で他端をヒンジ軸３により枢支された蓋体４を回動自在に設けている。蓋体４の下面には鍋２の上面を覆う内蓋５を着脱自在に取り付けており、内蓋５の先端にはフック部７を設けている。
【００１６】
炊飯器本体１の前部には、フック部７を係止して蓋体４を閉状態に保持しかつフック部７との係止を外すことで蓋体４を開放するフックレバー６と、このフックレバー６を装着する凹状のフックレバー装着部９と、機器の操作や動作状態を表示する表示操作部１４とを設けており、表示操作部１４の表面を覆うように操作パネル１５を設けている。
【００１７】
フックレバー６の両端に、一方（短軸８ａ）の長さを他方（長軸８ｂ）よりも短くした回転軸８を設けており、フックレバー装着部９の両側には、フックレバー６の回転軸８を支持する凹形状の軸受け部１０を設けている。また、フックレバー６の回転軸８を除いた幅は、フックレバー装着部９の幅に対して、少なくとも回転軸８の短軸８ａの長さだけ狭い寸法に構成している。
【００１８】
また、フックレバー６の内部に、第２のばね受け部１２を設けており、対向するフックレバー装着部９の底面に第１のばね受け部１３を設けている。第１のばね受け部１３と第２のばね受け部１２の間にばね部材１１を装着して連結している。
【００１９】
また、第１のばね受け部１３と第２のばね受け部１２の中心位置はそれぞれ、第１のばね受け部１３は長軸８ｂ側へ、第２のばね受け部１２は短軸８ａ側に相対的にオフ装着された位置に配置しており、フックレバー６が装着された状態ではばね部材１１の付勢力により、蓋閉時に内蓋５のフック部７と係合して蓋閉状態を維持するための回動力と同時に、フックレバー６を常に長軸８ｂ側から短軸８ａ側へ押し付けるスラスト力が働くよう構成している。
【００２０】
このスラスト力のために、フックレバー装着部９とフックレバー６の長軸８ｂ側には短軸８ａ側の軸長さ寸法以上の隙間が形成され、その隙間に抜け防止部材１６を挿入することにより、フックレバー６の軸方向の動きを規制し、回転軸８が軸受け部１０から抜けるのを防止している。
【００２１】
つぎに、図２を参照しながらフックレバー６の組立手順について説明する。フックレバー６の装着時には、図２（ａ）に示すように、ばね部材１１を第２のばね受け部１２に仮止めした状態で、第１のばね受け部１３に装着すると同時に、回転軸８の長軸８ｂを先にフックレバー装着部９の軸受け部１０に斜め方向から挿入し、ついで、図２（ｂ）に示すように、フックレバー６を長軸８ｂを軸受け部１０に挿入し、さらに、図２（ｃ）に示すように、フックレバー６の回転軸８の短軸８ａを軸受け部１０に挿入する。
【００２２】
このとき、ばね部材１１の付勢力により、フックレバー６には長軸８ｂ側から短軸８ａ側へのスラスト力が働き、フックレバー６は常に短軸８ａ側のフックレバー装着部９の側壁に押し付けられており、長軸８ｂ側には、少なくとも短軸８ａの軸長さ以上の隙間ｄが形成されている状態となる。
【００２３】
つぎに、図２（ｄ）に示すように、フックレバー６の長軸８ｂ側の隙間ｄに抜け防止部材１６を挿入し、フックレバー６の軸方向の左右方向の動きを規制し、フックレバー６が外れるのを防止する。
【００２４】
このような構成により、フックレバー６の装着時に圧入する必要なくなる上、フックレバー６を保持するための炊飯器本体１の天面の大きな凸部が不要となるため、炊飯器本体１の天面をフラットにすることができ、ご飯のよそいやすさや炊飯器本体１の天面のお手入れ性を向上することができる。
【００２５】
また、圧入方式に対して、軸受け部１０の掛かり代を十分確保することができる上、ばね部材１１により常に抜け方向とは逆の方向に付勢されているため、組立工程中にフックレバー６が外れることがない。したがって、作業性を向上できるとともに、作業負荷を軽減させることができる。
【００２６】
また、抜け防止部材１６を装着することにより、より確実にフックレバー６を保持することができ、運搬時の落下衝撃やユーザーの手入れ時にフックレバー６が左右にずれて回転軸８が抜けるのを防止することができ、安全性を高めることができる。
【００２７】
（実施例２）
図３に示すように、操作パネル１７は、炊飯器本体１の前部に設けた表示操作部（図示せず）の表面を覆うもので、この操作パネル１７の裏面に、抜け防止リブ１８を一体に形成している。他の構成は上記実施例１と同じであり、同一符号を付して説明を省略する。
【００２８】
上記構成において、抜け防止リブ１８は、操作パネル１７を装着するときに、フックレバー装着部９とフックレバー６の長軸８ｂ側の隙間に嵌まり込み、フックレバー６の抜けを防止することができる。
【００２９】
この構成により、上記実施例１に記述した効果に加えて、部品点数を低減することができて安価にできる。
【００３０】
【発明の効果】
以上のように本発明の請求項１に記載の発明によれば、フックレバーを装着するフックレバー装着部にフックレバーの両端に設けた回転軸を支持する凹形状の軸受け部と、蓋体を閉状態に保持するようフックレバーを付勢するばね部材を保持する第１のばね受け部とを設け、フックレバーをフックレバー装着部に装着し、抜け防止部材により抜け止めするよう構成したから、フックレバーを圧入する必要をなくすることができて装着性を向上できるとともに、炊飯器本体の天面をフラットにできて、ご飯のよそいやすさや炊飯器本体の天面の手入れ性を向上することができ、さらに、運搬時やユーザーの手入れ時にフックレバーが抜けるのを防止することができ、安全性を高めることができる。
【００３１】
また、請求項２に記載の発明によれば、フックレバーは、両端に設けた回転軸の一方の長さを他方よりも短くし、かつフックレバーの幅は、フックレバー装着部の幅に対して少なくとも短い側の回転軸の長さだけ狭い寸法に構成したから、回転軸を片側づつ装着できるため、軸受け部に対して十分な掛代を確保した上で、フックレバー装着時に圧入をする必要なくなり、作業負荷を軽減させることができる。
【００３２】
また、請求項３に記載の発明によれば、フックレバーは、裏面にフックレバー装着部に設けた第１のばね受け部に対して左右方向にずらして配置した第２のばね受け部を有し、第１のばね受け部と第２のばね受け部の間にフックレバーに回転方向の付勢力を与えるばね部材を装着し、このばね部材により、フックレバーにスラスト方向に付勢力が生じるよう構成したから、フックレバーが装着された状態ではばね部材の付勢力により、蓋閉時に蓋閉状態を維持するための回動力と同時に、フックレバーを常に長軸側から短軸側へ押し付けるスラスト力が働くことにより、常に抜け方向とは逆の方向に押し付けられているため、組立工程中にフックレバーが外れることがなく、作業性を向上することができる。
【００３３】
また、請求項４に記載の発明によれば、炊飯器本体に、操作パネルにより覆われた表示操作部を設け、抜け防止部材は操作パネルと一体に構成したから、部品点数を低減することができて安価にできる。
【図面の簡単な説明】
【図１】（ａ）本発明の第１の実施例の炊飯器の断面図
（ｂ）同炊飯器のＡ部矢視図
【図２】（ａ）同炊飯器のフックレバーをフックレバー装着部に装着開始するときの要部分解正面図
（ｂ）同炊飯器のフックレバーの長軸を軸受け部に挿入した状態の要部分解正面図
（ｃ）同炊飯器のフックレバーの短軸を軸受け部に挿入した状態の要部分解正面図
（ｄ）同炊飯器のフックレバーの長軸側の隙間に抜け防止部材を挿入した状態の要部正面図
【図３】本発明の第２の実施例の炊飯器の要部正面図
【符号の説明】
１  炊飯器本体
２  鍋
４  蓋体
６  フックレバー
８  回転軸
９  フックレバー装着部
１０  軸受け部
１１  ばね部材
１３  第１のばね受け部
１６  抜け防止部材
【図１】
2004283323.tif 000003
【図２】
2004283323.tif 000004
【図３】
2004283323.tif 000005